(57)【要約】【課題】レトルトを掛けることが可能で、かつ、断熱性の高い紙を使用した容器を得る。【解決手段】融着性を有する耐熱性プラスチックを基材とした内容器（２）と、紙を基材とし内容器に融着可能なシーラント層を内面に有する外容器（３）と、内容器に融着可能な内面を有する蓋（４）と、からなり、内容物を収納して蓋をして密封しレトルトされた内容器の外側を、外容器で覆い、内容器と外容器が少なくとも一面で融着して一体化したことを特徴とする複合容器。【選択図】図２
2020100422.tif 000002
【特許請求の範囲】
【請求項１】
融着性を有する耐熱性プラスチックを基材とした内容器と、紙を基材とし内容器に融着可能なシーラント層を内面に有する外容器と、内容器に融着可能な内面を有する蓋と、からなり、
内容物を収納して蓋をして密封しレトルトされた内容器の外側を、外容器で覆い、内容器と外容器が少なくとも一面で融着して一体化したことを特徴とする複合容器。
【請求項２】
内容器が周縁に舌状に外側へ伸びた柱部を有する内容器であって、内容器周囲を覆う外容器が底面板の隣り合う二辺に、谷折罫線を介して底面板に連結され互いに隣り合う側面板が形成され、隣り合う側面板の対応する辺に、山折罫線を介して、内容器の柱部に融着する柱融着板を設けたことを特徴とする請求項１に記載の複合容器。
【請求項３】
外容器と内容器の上端周縁にフランジを設け、外容器のフランジ部が、内容器のフランジに少なくとも一か所以上融着したことを特徴とする請求項１又は２に記載の複合容器。
【発明の詳細な説明】
【技術分野】
【０００１】
本発明は、紙を基材とした外容器と、プラスチックからなる内容器と、からなり、レトルト性を付与した複合容器に関する。
【背景技術】
【０００２】
レトルト容器として、シート成形等で成形されたポリプロピレン樹脂製容器などが、使用されているが、見栄えが一定で、差別化できず、せいぜい、蓋部に印刷されたフィルムを使用したり、蓋部や側面、底面に印刷したラベルを貼ったりするなどの方法しかなかった。
しかし、紙を基材としたトレーにすれば、印刷による装飾効果も高くすることができ、耐熱性も高く、断熱性も高くすることができる。
【０００３】
紙を基材とした容器として、例えば、特許文献１では、
方形の底面板の相対向する二辺に、それぞれ山折り線を介して側面板が連設され、側面板の外周に、谷折り線を介して縁片が連設され、縁片の左右端に、それぞれ横方向に延びる舌片が設けられ、前記側面板の左右端に、それぞれ山折り線を介して逆三角形状の折り込み接合板が連設され、折り込み接合板の外周には、谷折り線を介して接合縁片が連設され、底面板の他の相対向する二辺に、それぞれ山折り線を介して第２側面板が連設され、第２側面板の外周に、谷折り線を介して第２縁片が連設され、第２縁片の左右端に、それぞれ横方向に延びる第２舌片が設けられ、前記第２側面板の左右端に、それぞれ谷折り線を介して逆三角形状の第２折り込み接合板が連設され、前記折り込み接合板の側面板と連設していない方の端縁と、第２折り込み接合板の第２側面板と連設していない方の端縁とは、山折り線を介して連設されると共に、各側面板を折り曲げてトレー状に組立てた際、縁片、第２縁片、接合縁片がそれぞれ同一平面を形成するように設定されているトレー容器用ブランクであって、各隅角の第２舌片と第２折り込み接合板が接する近傍の第２舌片の端縁に、第２折り込み接合板側に突出する小突起が設けられていることを特徴とするトレー容器用ブランクを提案している。
【０００４】
各隅角の第２舌片と第２折り込み接合板が接する近傍の第２舌片の端縁に、第２折り込み接合板側に突出する小突起を設けたことによって、内容物の粉末や液汁を漏れにくくしており、単に包装するだけのトレーとしては問題がない。しかし、もし、これをレトルト容器と使用した場合、基材の紙が端部で露出してしまい、レトルトを掛けることができないといった問題があった。
【先行技術文献】
【特許文献】
【０００５】
【特許文献１】特許第３６８７３９６号公報
【発明の概要】
【発明が解決しようとする課題】
【０００６】
そこで、本発明は、レトルトを掛けることが可能で、かつ、断熱性の高い紙を使用した容器を得ることが、本発明の課題である。
【課題を解決するための手段】
【０００７】
本発明の複合容器は、
融着性を有する耐熱性プラスチックを基材とした内容器と、紙を基材とし内容器に融着可能なシーラント層を内面に有する外容器と、内容器に融着可能な内面を有する蓋と、から
なり、
内容物を収納して蓋をして密封しレトルトされた内容器の外側を、外容器で覆い、内容器と外容器が少なくとも一面で融着して一体化したことを特徴とする複合容器である。
【発明の効果】
【０００８】
本発明の複合容器は、先に内容器に内容物を充填して密閉した状態でレトルト殺菌し、その後、外容器と一体化した複合容器なので、レトルトによる常温、長期保存が可能である。しかも、紙基材を使用した外容器によって、高級で多彩な装飾を施すことが可能であり、断熱性が高く、再加熱時に容器を直ぐに手で持つことも可能な容器である。
【図面の簡単な説明】
【０００９】
【図１】本発明に係る複合容器の第一実施形態例で、その平面図である。
【図２】本発明に係る複合容器の第一実施形態例で、その縦断面図である。
【図３】本発明に係る複合容器の第二実施形態例で、それに使用される内容器の平面図である。
【図４】本発明に係る複合容器の第二実施形態例で、それに使用される外容器のブランクを示す展開図である。
【図５】本発明に係る複合容器の第二実施形態例で、それに使用される内容器の外観斜視図である。
【図６】本発明に係る複合容器の第二実施形態例で、その外観斜視図である。
【図７】本発明に係る複合容器の第二実施形態例における縦断面図である。
【図８】本発明に係る複合容器の第三実施形態例で、それに使用される内容器の平面図である。
【図９】本発明に係る複合容器の第三実施形態例で、それに使用される外容器のブランクを示す展開図である。
【図１０】本発明に係る複合容器の第三実施形態例で、それに使用される内容器の外観斜視図である。
【図１１】本発明に係る複合容器の第三実施形態例で、その外観斜視図である。
【発明を実施するための形態】
【００１０】
以下、本発明の複合容器の実施形態について、図で説明する。
図１は、本発明に係る複合容器の第一実施形態例で、その平面図である。
複合容器１は、内容器２と外容器３とが重なり合った容器であって、その開口部周縁にはフランジ１１が形成され、フランジ１１面に蓋４を融着した状態で使用される。
蓋４には、端部にタブ４１を設け、開口する時に蓋４だけを引き上げて剥離しやすくしておくことが望ましい。また、蓋４は、最内層には融着性の高いシーラント材が必要であるが、その外側には、バリア層や印刷層などを加えた多層材であっても良い。
【００１１】
図２は、本発明に係る複合容器の第一実施形態例で、その縦断面図である。
複合容器１は、内容器２の外側に外容器３があって、少なくともその内容器２のフランジ部２１の下面に、外容器３のフランジ板３５が融着した面を少なくとも１面は有する形態となっている。
この断面図では、側面においても、内容器２の外面に外容器３の内面が融着した形態となっている。このように、少なくとも１箇所の側面板３３に側面融着部３３１があって、側面部でも融着していることが望ましい。もちろん、手前と奥の側面板３２や底面板３１にも融着部を設けても良い。
断面の拡大図に示すように、外容器３は基材に断熱性の高い紙を使用し、その少なくとも内側には融着性を有するシーラント材を用いている。
プラスチックで成形された内容器２と外容器３の内側シーラント層５２との間には、側面融着部３３１で溶着されていると共に、溶着部以外ではわずかな隙間１１を有し、かつ、
外容器に紙基材５１を使用していることから、高い断熱性を有する層構造となっている。
【００１２】
図３は、本発明に係る複合容器の第二実施形態例で、それに使用される内容器２の平面図である。
第二実施形態例では、内容器２の４隅には、柱部２２が設けられ、容器が高温に加熱されても、側面部２３やフランジ部２１をしっかりと支えることができるような形状になっている。また、中央には底部２４があって、側面部２３でその左右前奥の４方を囲み、かつ、側面部２３は４隅の柱部２２を繋止している。
【００１３】
図４は、本発明に係る複合容器の第二実施形態例で、それに使用される外容器３のブランク３０を示す展開図である。
中央に底面板３１を有し、その左右に谷折罫線６１を介して左の側面板３３と右の側面板３３を有し、底面板３１の手前と奥に谷折罫線６１を介してそれぞれ前の側面板３２と、後ろの側面板３２とを有している。
左右の側面板３３と、手前と奥の側面板３２とには、それぞれ山折罫線６２を介してフランジ融着板３４、３５を有し、又、山折罫線６２を介して２枚ずつの柱融着板３６を有している。
そして、フランジ融着板３４、３５にはそれぞれ、内容器のフランジに融着するフランジ融着部３４１、３５１を有し、柱融着板３６には柱融着部３６１が設けられている。
融着部は、融着する代わりに、接着剤を塗布しても良いし、両面接着テープを使用してもかまわないが、その場合は、１１０℃以上の耐熱性の高い接着剤や両面接着テープを使用する必要がある。
【００１４】
図５は、本発明に係る複合容器の第二実施形態例で、それに使用される内容器２の外観斜視図である。
第二実施形態例の内容器２は、４隅に垂直状に柱部２２を有し、フランジ２１を支える形状となっている。
【００１５】
図６は、本発明に係る複合容器の第二実施形態例で、その外観斜視図である。
図５に示した内容器２の外面に、外容器３を貼り合わせた複合容器を形成している。
すなわち、内容器２の底部２４には外容器３の底面板３１が、内容器２の側面部２３には外容器３の側面板３２、３３が近接し、内容器２のフランジ２１には外容器３のフランジ板３４，３５が接し、融着固定されている。
【００１６】
図７は、本発明に係る複合容器の第二実施形態例における縦断面図である。
内容器２の側面部２３には外容器３の側面板３２、３３が近接し、内容器２のフランジ部２１の下面には外容器３のフランジ融着板３４，３５が接して融着固定している。
また、内容器２のフランジ部２１4の上面には蓋４が融着している。
【００１７】
図８は、本発明に係る複合容器の第三実施形態例で、それに使用される内容器の平面図である。
この内容器２は側面部２３が傾斜した一般的な形状となっている。
【００１８】
図９は、本発明に係る複合容器の第三実施形態例で、それに使用される外容器のブランク３０を示す展開図である。
中央に底面板３１を有し、その左右に谷折罫線６１を介して左の側面板３３と右の側面板３３を有し、底面板３１の手前と奥に谷折罫線６１を介してそれぞれ前の側面板３２と、後ろの側面板３２とを有している。左右の側面板３３と前後の側面板３２とは、台形形状となっている。
左右の側面板３３と、手前と奥の側面板３２とには、それぞれ山折罫線６２を介してフラ
ンジ融着板３４、３５を有し、又、谷折罫線６２を介してのりしろ３７を有している。
そして、フランジ融着板３４、３５にはそれぞれ、内容器のフランジに融着するフランジ融着部３４１、３５１を有し、のりしろ３７にはのりしろ融着部３７１が設けられている。
さらに、外容器の側面板３２、３３や底面板３１が内容器に融着するようにしても良い。
【００１９】
図１０は、本発明に係る複合容器の第三実施形態例で、それに使用される内容器２の外観斜視図である。
第二実施形態例のように４隅に柱部はないが、側面部２３同士が繋止しているので、強固な収納部を形成している。
上方にはフランジ部２１が設けられ、蓋で密封可能としている。
【００２０】
図１１は、本発明に係る複合容器の第三実施形態例で、その外観斜視図である。
図１０に示した内容器２の外面に、外容器３を貼り合わせた複合容器を形成している。
すなわち、内容器２の底部２４には外容器３の底面板４１が、内容器２の側面部２３には外容器３の側面板３２、３３が当接し、内容器２のフランジ２１には外容器３のフランジ板３４，３５が当接して融着固定されている。
左右の側面板３３から伸びるのりしろ３７が、前後の側面板３２に融着され、４隅がより強固に形成されている。
【００２１】
本発明の複合容器は、以上のような構成で、次に梱包工程を下記に示す。
すなわち、第一工程は、内容器に内容物を充填して、蓋をシールする。
次に、第二工程でレトルト処理を行い、殺菌する。
第三工程では、殺菌した内容物が入って蓋をシールされた内容器の外側に、外容器を熱溶着する。
【００２２】
本発明に使用する内容器に使用するプラスチックは、レトルト適正のあるポリプロピレン樹脂、エチレン・プロピレン共重合体が好ましいが、ポリエチレンテレフタレート樹脂、ポリブタジエンテレフタレート樹脂などの融着性を持たせた樹脂フィルムであってもかまわない。
また、ポリプロピレン／エチレン・酢酸ビニル共重合体鹸化物／ポリプロピレン、
ポリプロピレン／フタル酸変性ポリプロピレン／ポリアミド／フタル酸変性ポリプロピレン／ポリプロピレン、
ポリエチレンテレフタレート／エチレン・酢酸ビニル共重合体鹸化物／ポリエチレンテレフタレート、
などの多層シートであってもかまわない。
成形としては、真空成形、圧空成形、真空・圧空成形、射出成形、多層射出成形、などが使用できる。
成形される内容器の厚みは、内容物の重量にもよるが、３００μｍ〜５００μｍが好ましい。
【００２３】
本発明に使用する外容器に使用する紙トレーは、基材の紙として、坪量１５０〜４００ｇ／ｍ２、密度０．６〜１．１ｇ／ｃｍ３の範囲の紙が好ましい。
内側には、熱可塑性樹脂層として、内容器の融着面に使用する樹脂と同じ樹脂が良い。その他には、エチレン・酢酸ビニル共重合体、エチレン・メタアクリル酸共重合体、などやそれらのポリマーブレンド樹脂のであっても良い。
さらに、紙外側表面にはアンダーコート剤を塗工し、印刷等の加飾を施したり、紙基材とシーラント層との間に、酸化金属蒸着したポリエチレンテレフタレートフィルムなどを貼り合わせてバリア層を設けたりしても良い。
【００２４】
内容器と外容器との融着は、ヒートシール、ホットエアーあぶり後の圧着、超音波融着、インパルスシール等の融着方法が使用できる。
【実施例】
【００２５】
＜実施例１＞
包装容器として、図１、図２に示す縦１２０ｍｍ、横１８０ｍｍの容量５００ｍＬの第一実施形態例の形状とし、厚さ５００μｍのポリプロピレンをシート成形した内容器と、基材層として２５０ｇ／ｍ２の紙基材に３０μｍの溶融ポリプロピレン樹脂を積層した積層シートからなる外容器と、ポリプロピレンシート１２０μｍ単体からなる蓋と、を使用した。
内容物として、カレーを４５０ｇ内容器に入れ、内容器のフランジ全体をホットエアーであぶり、蓋部で内容器のフランジ全体を覆って圧着し、周縁を融着した。
これをレトルト釜に入れて殺菌し、釜から取り出し後、外容器内面をホットエアーであぶり、内容器に圧着して複合容器を得た。
【００２６】
＜実施例２＞
包装容器として、図３〜図７に示す縦１２０ｍｍ、横１８０ｍｍの容量５００ｍＬの第二実施形態例の形状とした以外、材質は実施例１と同じ材質の内容器と、外容器と、蓋と、を使用した。
内容物として、カレーを４５０ｇ内容器に入れ、内容器のフランジと蓋を、フランジ部でヒートシールによって融着した。
これをレトルト釜に入れて殺菌し、釜から取り出し後、外容器のフランジと内容器のフランジとを内面をヒートシールによって融着して複合容器を得た。
【００２７】
＜実施例３＞
包装容器として、図８〜図１１に示す縦１２０ｍｍ、横１８０ｍｍの容量５００ｍＬの第二実施形態例の形状とした以外、材質は実施例１と同じ材質の内容器と、外容器と、蓋と、を使用した。
内容物として、カレーを４５０ｇ内容器に入れ、内容器のフランジと蓋を、フランジ部でヒートシールによって融着した。
これをレトルト釜に入れて殺菌し、釜から取り出し後、外容器ののりしろと前側面板、のりしろと後側面板、それぞれ８箇所をヒートシールして円錐台形状とした外容器内側に、内容器を挿入し、外容器のフランジと内容器のフランジとをヒートシールによって融着して複合容器を得た。
【００２８】
＜比較例１＞
包装容器として、図１に示す縦１２０ｍｍ、横１８０ｍｍの容量５００ｍＬの第一実施形態例の形状とした以外、材質は実施例１と同じ材質の内容器と、蓋と、を使用した。
内容物として、カレーを４５０ｇ内容器に入れ、内容器のフランジと蓋を、フランジ部でヒートシールによって融着した。
これをレトルト釜に入れて殺菌し、釜から取り出し、外容器のない比較例１の容器を得た。
【００２９】
＜比較例２＞
包装容器として、図８〜図１１に示す縦１２０ｍｍ、横１８０ｍｍの容量５００ｍＬの第二実施形態例の形状とした以外、材質は実施例１と同じ材質の内容器と、外容器と、蓋と、を使用した。
内容物として、カレーを４５０ｇ内容器に入れ、内容器のフランジと蓋を、フランジ部でヒートシールによって融着した。
これをレトルト釜に入れて殺菌し、釜から取り出し後、外容器ののりしろと前側面板、の
りしろと後側面板、それぞれ８箇所をヒートシールして円錐台形状とした外容器内側に、内容器を挿入し、外容器のフランジと内容器のフランジとはシールしないで重ね合わせただけの複合容器を得た。
【００３０】
＜比較例３＞
包装容器として、図９、図１１に示す縦１２０ｍｍ、横１８０ｍｍの容量５００ｍＬの第二実施形態例の形状とした以外、材質は実施例１と同じ材質の外容器と、蓋と、を使用した。
内容物として、カレーを４５０ｇ、外容器に入れ、外容器のフランジと蓋を、フランジ部でヒートシールによって融着した。
これをレトルト釜に入れて殺菌し、釜から取り出し、外容器と蓋のみの内容器のない比較例１の容器を得た。
【００３１】
＜レトルト性評価方法＞
内容物を充填して、蓋をシールし、レトルト処理を行った時に、容器に不具合がないか評価する。
【００３２】
＜容器の一体化評価方法＞
内容物を充填して、最終的な容器形態になった段階で、不具合がないか評価する。
【００３３】
＜断熱性評価方法＞
最終的な容器形態になった容器に、８０℃の熱湯を入れて、容器の外側を手で包むようにして持つことができるか、評価する。
【００３４】
＜レトルト性評価結果＞
実施例１〜３、比較例１、２は、レトルト処理を行った時の不具合はなかった。
しかし、比較例３では、内容器がなく、外容器に内容物を充填した為、外容器の基材に使用している紙が水を吸って容器の形状を維持できないばかりか、内容物が漏れるなどの問題が発生した。
【００３５】
＜容器の一体化評価結果＞
実施例１〜３、比較例１、３は、不具合はなかった。
しかし、比較例２では、内容器と外容器が簡単に外れてしまう問題が発生した。
【００３６】
＜断熱性評価結果＞
実施例１〜３、比較例２は、不具合はなかった。
しかし、比較例１と比較例３では、容器外面が熱くて持つことができなかった。
【００３７】
【表１】
2020100422.tif 000003
【００３８】
本発明の複合容器は、以上のように、先に内容器に内容物を充填して密閉した状態でレトルト殺菌し、その後、外容器と一体化した複合容器なので、レトルト殺菌によって常温での長期保存が可能な容器として使用できる。
特に、レトルトには向かない紙を外側に使用した二重容器にもなるので、一般的なレトルト容器の断熱性が悪くて、加熱後手で持てないなどの問題が生じにくい。
さらに、紙基材を使用した外容器によって、印刷等により高級で多彩な装飾を施すことが可能であり、品位の高い容器とすることができるなど、本発明のメリットは大きい。
【符号の説明】
【００３９】
１・・・・・・・・複合容器
１１・・・・・・・隙間
２・・・・・・・・内容器
２１・・・・・・・フランジ部
２２・・・・・・・柱部
２３・・・・・・・側面部
２４・・・・・・・底面部
３・・・・・・・・外容器
３０・・・・・・・ブランク
３１・・・・・・・底面板
３２・・・・・・・側面板（前・後）
３３・・・・・・・側面板（左・右）
３３１・・・・・・側面融着部
３４・・・・・・・フランジ融着板（前・後）
３４１・・・・・・フランジ融着部（前・後）
３５・・・・・・・フランジ融着板（左・右）
３５１・・・・・・フランジ融着部（左・右）
３６・・・・・・・柱融着板
３６１・・・・・・柱融着部
３７・・・・・・・のりしろ
３７１・・・・・・のりしろ融着部
４・・・・・・・・蓋
４１・・・・・・・タブ
５１・・・・・・・紙基材
５２・・・・・・・シーラント層
６１・・・・・・・谷折罫線
６２・・・・・・・山折罫線
【図１】
2020100422.tif 000004
【図２】
2020100422.tif 000005
【図３】
2020100422.tif 000006
【図４】
2020100422.tif 000007
【図５】
2020100422.tif 000008
【図６】
2020100422.tif 000009
【図７】
2020100422.tif 000010
【図８】
2020100422.tif 000011
【図９】
2020100422.tif 000012
【図１０】
2020100422.tif 000013
【図１１】
2020100422.tif 000014